(57)【要約】【課題】低遅延な通信を可能とすること。【解決手段】基地局装置から下りリンク制御情報を受信する受信部と、前記下りリンク制御情報にスロット割当て情報が含まれる場合、スロットに割当てられた下りリンク共有チャネルを復調し、前記下りリンク制御情報にスロット割当て情報が含まれない場合、サブフレームに割当てられた下りリンク共有チャネルを復調する信号検出部と、を備える。【選択図】図１３
2018110278.tif 000002
【特許請求の範囲】
【請求項１】
基地局装置と通信する端末装置であって、
前記基地局装置から下りリンク制御情報を受信する受信部と、
前記下りリンク制御情報にスロット割当て情報が含まれる場合、スロットに割当てられた下りリンク共有チャネルを復調し、
前記下りリンク制御情報にスロット割当て情報が含まれない場合、サブフレームに割当てられた下りリンク共有チャネルを復調する信号検出部と、を備える端末装置。
【請求項２】
前記スロット割当て情報が２スロットに割当てられていることを示している場合、
前記下りリンク制御情報に含まれるトランスポートブロック１及びトランスポートブロック２に対する制御情報を前記２スロットの各々の制御情報と解釈する請求項１に記載の端末装置。
【請求項３】
前記トランスポートブロック１及びトランスポートブロック２に対する制御情報は、変調符号化方式、新データ指標、リダンダンシーバージョンである請求項２に記載の端末装置。
【請求項４】
前記下りリンク制御情報にスロット割当て情報が含まれる場合、前記スロット内の端末固有参照信号を用いて復調し、
前記下りリンク制御情報にスロット割当て情報が含まれない場合、前記サブフレーム内の端末固有参照信号を用いて復調する請求項１に記載の端末装置。
【請求項５】
端末装置と通信する基地局装置であって、
前記端末装置に下りリンク制御情報を送信する送信部を備え、
前記下りリンク制御情報にスロット割当て情報を含める場合、スロット毎に下りリンク共有チャネルを割当て、
前記下りリンク制御情報にスロット割当て情報を含めない場合、サブフレーム毎に下りリンク共有チャネルを割り当てる基地局装置。
【請求項６】
前記スロット割当て情報が２スロットに割当てられていることを示している場合、
前記下りリンク制御情報に含まれるトランスポートブロック１及びトランスポートブロック２に対する制御情報を前記２スロットの各々の制御情報として送信する請求項５に記載の基地局装置。
【請求項７】
前記トランスポートブロック１及びトランスポートブロック２に対する制御情報は、変調符号化方式、新データ指標、リダンダンシーバージョンである請求項６に記載の基地局装置。
【請求項８】
前記下りリンク制御情報にスロット割当て情報を含む場合、前記スロット毎に異なる端末固有参照信号を配置して送信し、
前記下りリンク制御情報にスロット割当て情報が含まれない場合、前記サブフレーム毎に異なる端末固有参照信号を配置して送信する請求項５に記載の基地局装置。
【請求項９】
基地局装置と通信する端末装置における通信方法であって、
前記基地局装置から下りリンク制御情報を受信する受信ステップと、
前記下りリンク制御情報にスロット割当て情報が含まれない場合、スロット毎に下りリンク共有チャネルを復調し、
前記下りリンク制御情報にスロット割当て情報が含まれない場合、サブフレーム毎に下りリンク共有チャネルを復調する信号検出ステップと、を有する通信方法。
【請求項１０】
端末装置と通信する基地局装置における通信方法であって、
前記端末装置に下りリンク制御情報を送信する送信ステップを有し、
前記下りリンク制御情報にスロット割当て情報を含める場合、スロット毎に下りリンク共有チャネルを割当て、前記下りリンク制御情報にスロット割当て情報を含めない場合、サブフレーム毎に下りリンク共有チャネルを割り当てる通信方法。
【発明の詳細な説明】
【技術分野】
【０００１】
本発明は、端末装置、基地局装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、ＭＩＭＯ（Multiple Input Multiple Output）や多値変調などの技術により、大幅にスループットが向上することが可能となっている。また、次世代移動通信システムでも、一層のスループット向上が求められている。一方で、トータルの通信速度を考えた場合、ビットレートの向上に加えて、通信アクセス時間や通信装置間の手続き等による遅延を減少させることによる通信の低遅延化も重要な技術である。ＭＴＣ（Machine Type Communication）など、ビットレートの要求は高くないが瞬時の通信が必要な場合などは、遅延による影響は大きく、通信の低遅延化が求められている。非特許文献１には通信の低遅延化について記載されている。
【先行技術文献】
【非特許文献】
【０００４】
【非特許文献１】“Ｓｔｕｄｙ  ｏｎ  Ｌａｔｅｎｃｙ  ｒｅｄｕｃｔｉｏｎ  ｆｏｒ  ＬＴＥ”、３ＧＰＰ  ＴＳＧ  ＲＡＮ  Ｍｅｅｔｉｎｇ  ＃６７、２０１５年  ３月。
【発明の概要】
【発明が解決しようとする課題】
【０００５】
通信の低遅延化のためには、通信の高信頼性も重要な要素となる。しかしながら、非特許文献１には、通信の低遅延化を実現するための具体的な手段は記載されていない。本発明はこのような事情を鑑みてなされてものであり、その目的は、通信の低遅延化が可能な端末装置、基地局装置及び通信方法を提供することにある。
【課題を解決するための手段】
【０００６】
上述した課題を解決するために本発明に係る端末装置、基地局装置および通信方法の構成は、次の通りである。
【０００７】
本発明に係る端末装置は、基地局装置と通信する端末装置であって、前記基地局装置から下りリンク制御情報を受信する受信部と、前記下りリンク制御情報にスロット割当て情報が含まれる場合、スロットに割当てられた下りリンク共有チャネルを復調し、前記下りリンク制御情報にスロット割当て情報が含まれない場合、サブフレームに割当てられた下りリンク共有チャネルを復調する信号検出部と、を備える。
【０００８】
また本発明の端末装置において、前記スロット割当て情報が２スロットに割当てられていることを示している場合、前記下りリンク制御情報に含まれるトランスポートブロック１及びトランスポートブロック２に対する制御情報を前記２スロットの各々の制御情報と解釈する。
【０００９】
また本発明の端末装置において、前記トランスポートブロック１及びトランスポートブロック２に対する制御情報は、変調符号化方式、新データ指標、リダンダンシーバージョンである。
【００１０】
また本発明の端末装置において、前記下りリンク制御情報にスロット割当て情報が含まれる場合、前記スロット内の端末固有参照信号を用いて復調し、前記下りリンク制御情報にスロット割当て情報が含まれない場合、前記サブフレーム内の端末固有参照信号を用いて復調する。
【００１１】
また本発明に係る基地局装置は、端末装置と通信する基地局装置であって、前記端末装置に下りリンク制御情報を送信する送信部を備え、前記下りリンク制御情報にスロット割当て情報を含める場合、スロット毎に下りリンク共有チャネルを割当て、前記下りリンク制御情報にスロット割当て情報を含めない場合、サブフレーム毎に下りリンク共有チャネルを割り当てる。
【００１２】
また本発明の基地局装置において、前記スロット割当て情報が２スロットに割当てられていることを示している場合、前記下りリンク制御情報に含まれるトランスポートブロック１及びトランスポートブロック２に対する制御情報を前記２スロットの各々の制御情報として送信する。
【００１３】
また本発明の基地局装置において、前記トランスポートブロック１及びトランスポートブロック２に対する制御情報は、変調符号化方式、新データ指標、リダンダンシーバージョンである。
【００１４】
また本発明の基地局装置において、前記下りリンク制御情報にスロット割当て情報を含む場合、前記スロット毎に異なる端末固有参照信号を配置して送信し、前記下りリンク制御情報にスロット割当て情報が含まれない場合、前記サブフレーム毎に異なる端末固有参照信号を配置して送信する。
【００１５】
また本発明に係る通信方法は、基地局装置と通信する端末装置における通信方法であって、
前記基地局装置から下りリンク制御情報を受信する受信ステップと、前記下りリンク制御情報にスロット割当て情報が含まれない場合、スロット毎に下りリンク共有チャネルを復調し、前記下りリンク制御情報にスロット割当て情報が含まれない場合、サブフレーム毎に下りリンク共有チャネルを復調する信号検出ステップと、を有する。
【００１６】
また本発明に係る通信方法は、端末装置と通信する基地局装置における通信方法であって、前記端末装置に下りリンク制御情報を送信する送信ステップを有し、前記下りリンク制御情報にスロット割当て情報を含める場合、スロット毎に下りリンク共有チャネルを割当て、前記下りリンク制御情報にスロット割当て情報を含めない場合、サブフレーム毎に下りリンク共有チャネルを割り当てる。
【発明の効果】
【００１７】
本発明によれば、無線通信に係る時間を低減させることができるため、低遅延な通信が可能となる。
【図面の簡単な説明】
【００１８】
【図１】本実施形態に係る通信システムの例を示す図である
【図２】本実施形態に係る上りリンクリソース割り当ての一例を示す図である
【図３】本実施形態に係る上りリンクリソース割り当ての一例を示す図である
【図４】本実施形態に係る上りリンクリソース割り当ての一例を示す図である
【図５】本実施形態に係る上りリンクリソース割り当ての一例を示す図である
【図６】本実施形態に係る下りリンクリソース割り当ての一例を示す図である
【図７】本実施形態に係る下りリンクリソース割り当ての一例を示す図である
【図８】本実施形態に係る端末固有参照信号の配置の一例を示す図である
【図９】本実施形態に係る端末固有参照信号の配置の一例を示す図である
【図１０】本実施形態に係る送信プロトコルの概略シーケンス図である
【図１１】本実施形態に係る簡略化送信プロトコルの概略シーケンス図である
【図１２】本実施形態に係る基地局装置の構成例を示すブロック図である
【図１３】本実施形態に係る端末装置の構成例を示すブロック図である
【発明を実施するための形態】
【００１９】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００２０】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２１】
図１は、本実施形態に係る通信システムの例を示す図である。図１に示すように、本実施形態における通信システムは、基地局装置１、端末装置２を備える。また、カバレッジ１−１は、基地局装置１が端末装置と接続可能な範囲（通信エリア）である。
【００２２】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２３】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２４】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００２５】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率により定められたインデックス（CQI Index）とすることができる。前記ＣＱＩ値は、予め当該システムで定めたものをすることができる。
【００２６】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２７】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２８】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２９】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３０】
ＰＲＡＣＨは、ランダムアクセスプリアンブルを送信するために用いられる。
【００３１】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３２】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００３３】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３４】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３５】
ＰＨＩＣＨは、基地局装置１が受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２はＡＣＫを上位レイヤに通知する。
【００３６】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３７】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３８】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３９】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４０】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４１】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）などが該当する。
【００４２】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４３】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４４】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４５】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４６】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４７】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４８】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１から送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００４９】
ここで、ＲＲＣメッセージおよび／またはＭＡＣ  ＣＥを、上位層の信号（higher layer signaling）とも称する。
【００５０】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５１】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００５２】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５３】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５４】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５５】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５７】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００５８】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００５９】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６０】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６１】
基地局装置及び／又は端末装置は、無線フレームを送信する。各無線フレームは２０スロットで構成される。サブフレームは２つの連続するスロットで定義される。
【００６２】
基地局装置は、ＴＴＩ（送信時間間隔；Transmission Time Interval）毎に端末装置を割り当てることができる。ＴＴＩは、スケジューリングの最小時間単位、１トランスポートブロックの送信期間を示す場合もある。基地局装置は、少なくとも２種類のＴＴＩ毎に端末装置を割り当てることができる。ここでは、２種類のＴＴＩを第１のＴＴＩ、第２のＴＴＩとも呼ぶ。また、以降では、第１のＴＴＩは第２のＴＴＩよりも長いとする。つまり、第２のＴＴＩで端末装置を割り当てると、第１のＴＴＩと比較して低遅延の通信が可能となる。例えば、第１のＴＴＩは１  ｍｓ、第２のＴＴＩは０．５  ｍｓとすることができる。つまり、基地局装置は、サブフレーム単位でのスケジューリング及び／又はスロット単位でのスケジューリングをすることができる。なお、第２のＴＴＩで送信又はスケジューリングすることを低遅延伝送とも呼称する。
【００６３】
基地局装置は、第２のＴＴＩで端末装置を割り当てる場合、サブフレーム内の第１スロット、もしくは、第２スロット、もしくは、第１スロット及び第２スロットに割り当てることができる。
【００６４】
図２〜図５は、上りリンクのリソース割当て例である。図２は、第１のＴＴＩの場合のリソース割当て例である。図３〜図５は、第２のＴＴＩの場合のリソース割当て例である。図３は、サブフレーム内の第１スロット及び第２スロットに端末装置が割当てられた例である。この場合、端末装置は、第１スロットと第２スロットでは異なるコードワードを送信することができる。つまり、基地局装置は、第１スロットと第２スロットで、各々受信処理を行う。図４は、第１スロットに端末装置が割当てられた例である。図５は、第２スロットに端末装置が割当てられた例である。
【００６５】
図６は、下りリンクのリソース割当て例である。図６の右上線でハッチングされた領域は、第１のＴＴＩでの割当てを示す。右下線でハッチングされた領域は、第２のＴＴＩの場合において、第１スロット及び第２スロットに端末装置が割当てられた例である。この場合、基地局装置は第１スロット及び第２スロットに対して異なるデータを送信することができる。つまり、端末装置は第１スロット及び第２スロットの各々について受信処理を行う。図６の縦線でハッチングされた領域は、第１スロットに端末装置が割当てられた例である。また横線でハッチングされた領域は、第２スロットに端末装置が割当てられた例である。
【００６６】
基地局装置は、第２のＴＴＩで端末装置を割当てる場合、対応する送信モードやＤＣＩフォーマット、もしくは、低遅延伝送であることを示す情報を端末装置に送信する。端末装置は、送信モード、ＤＣＩフォーマット、低遅延伝送であることを示す情報などから、低遅延伝送である（つまり第２のＴＴＩでスケジューリングされている）ことを判断することができる。
【００６７】
また、基地局装置は、第２のＴＴＩで端末装置を割り当てる場合、上位層の信号で設定又は指示することができる。つまり、端末装置は、上位層の信号から低遅延伝送であることを判断することができる。
【００６８】
基地局装置は、第２のＴＴＩで端末装置を上りリンクのリソースに割当てる場合、上位層の信号又は上りリンクグラントにスロットに関する割当て情報を含めて送信することができる。スロットに関する割当て情報は、例えば、サブフレーム内の第１スロット及び／又は第２スロットに割当てられたか、を示す情報である。また、スロットに関する割当て情報は、奇数スロット及び／又は偶数スロットに割当てられたか、を示す情報とすることもできる。つまり、端末装置は、受信した上位層の信号又は上りリンクグラントにスロットに関する割当て情報が含まれている場合、サブフレーム内の第１スロット及び／又は第２スロットに割当てられたかを知ることができる。
【００６９】
また、基地局装置は、第２のＴＴＩで端末装置を割り当てる場合、制御情報に含まれる周波数ホッピングフラグをスロットに関する割当て情報とすることができる。このとき、端末装置は、第２のＴＴＩで割り当てられた場合、制御情報に含まれる周波数ホッピングフラグをスロットに関する割当て情報と解釈することができる。例えば、スロットに関する割当て情報は、周波数ホッピングフラグの値が０のときは偶数スロットに割当てられていることを示し、値が１のときは奇数スロットに割当てられていることを示すことができる。
【００７０】
また、基地局装置は、第２のＴＴＩで端末装置を割り当てる場合、制御情報に含まれるリソースブロック割当て及びホッピングリソース割当てにスロットに関する割当て情報を含めることができる。例えば、基地局装置は、上りリンクグラントに含まれるリソースブロック割当て及びホッピングリソース割当ての一部のビットがスロットに関する割当て情報とすることができる。周波数ホッピングする場合、リソースブロック割当て及びホッピングリソース割当ては、第２スロットリソース割当てのためのホッピングビットが含まれる。第２スロットリソース割当てのためのホッピングビットは、割当てられたリソースブロック数によってビット数が異なり、最大２ビットとなる。基地局装置は、第２のＴＴＩで端末装置を割り当てる場合、制御情報に含まれる第２スロットリソース割当てのためのホッピングビットを用いて、スロットに関する割当て情報として第１スロット（偶数スロット）か第２スロット（奇数スロット）か両方のスロットかの情報を送信することができる。つまり、端末装置は、基地局装置が第２のＴＴＩでスケジューリングして送信した場合、上りリンクグラントに含まれるリソースブロック割当て及びホッピングリソース割当ての一部のビットをスロットに関する割当て情報と判断することができる。なお、基地局装置は、周波数ホッピングフラグと合わせて、スロットに関する割当て情報とすることもできる。この場合、端末装置は、制御情報に含まれる周波数ホッピングフラグ及びリソースブロック割当て及びホッピングリソース割当てからスロットに関する割当て情報を知ることができる。
【００７１】
なお、基地局装置は、端末装置にスロット割当ての情報を送信する場合であっても、第１のＴＴＩでスケジューリングすることは可能である。例えば、スロットに関する割当て情報の１つの状態が第１のＴＴＩでの送信を示すことができる。例えば、スロットに関する割当て情報が２ビットの場合、１０、０１、１１がそれぞれ第１スロット、第スロット、第１及び第２スロットへの割当てを示し、００が第１のＴＴＩでの割当てを示すことができる。つまり、端末装置は、スロットに関する割当て情報で第１のＴＴＩで割当てられたか、第２のＴＴＩで割当てられたかを判断することができる。また、端末装置は、スロットに関する割当て情報で第１のＴＴＩで割当てられていると判断した場合、第１のＴＴＩで割当てられていることを想定し、制御情報を用いて復調することができる。
【００７２】
また、基地局装置は、第２のＴＴＩで端末装置を割り当てる場合、制御情報に含まれるＳＲＳ要求をスロットに関する割当て情報とすることができる。このとき、端末装置は、制御情報に含まれるＳＲＳ要求をスロットに関する割当て情報と解釈することができる。例えば、スロットに関する割当て情報は、ＳＲＳ要求の値が０のときは偶数スロットに割当てられていることを示し、値が１のときは奇数スロットに割当てられていることを示すことができる。
【００７３】
また、基地局装置は、サブフレーム内の２つのスロットに第２のＴＴＩで同じ端末装置を割り当てる場合、その２つのスロット間のリソースブロック割り当て（周波数割当て）及び／又はＭＣＳは共通とすることができる。つまり、端末装置は、サブフレーム内の２つのスロットに第２のＴＴＩで割当てられた場合、その２つのスロット間のリソースブロック割当て及び／又はＭＣＳは共通と想定して送信信号を生成することができる。
【００７４】
また、基地局装置は、サブフレーム内の２つのスロットに第２のＴＴＩで同じ端末装置を割り当てる場合、各々のスロットに対するＭＣＳ、新データ指標（New Data Indicator;NDI）、リダンダンシーバージョン（Redundancy Version；RV）の一部又は全部を送信することができる。新データ指標及びＲＶはＨＡＲＱに関する情報である。新データ指標は、送信（又は受信）したトランスポートブロックが新しい送信か再送かを示す情報である。リダンダンシーバージョンは、誤り訂正符号化によって得られるシステマチックビットとパリティビットの中で送信されたビットを示す情報である。端末装置は、各々のスロットに対するＭＣＳ、ＮＤＩ、ＲＶの一部又は全部を考慮して、送信信号を生成することができる。
【００７５】
また、端末装置がＳＲＳを送信する場合、第１のＴＴＩで割当てられた場合と第２のＴＴＩで割当てられた場合とでは異なる配置で送信することができる。例えば、第１のＴＴＩの場合、端末装置はサブフレームの最後のシンボルでＳＲＳを送信し、第２のＴＴＩの場合、スロット単位での割当てとなるため、端末装置はスロットの最後のシンボルでＳＲＳを送信する。もしくは、第２のＴＴＩの場合、奇数スロットでのみＳＲＳを送信することができる。
【００７６】
また、端末装置は、第２のＴＴＩで割当てられた場合、ＳＲＳの送信タイミングとデータ伝送が同一スロットとなった場合、ＳＲＳを送信しない又はＳＲＳの送信をドロップすることが可能である。
【００７７】
また、基地局装置は、サブフレーム間のスロット割当ても可能である。図７は、サブフレーム間のスロット割当ての一例である。図７の例では、基地局装置は、第ｎサブフレームの第２スロットと第ｎ＋１サブフレームの第１スロットに端末装置を割り当てることができる。基地局装置は、第ｎ＋１サブフレームの下りリンク制御情報でスロット割当情報を送信することができる。つまり、端末装置は、第ｎ＋１サブフレームで受信した下りリンク制御情報を用いて、スロット割当てを判断し、第ｎサブフレームの第２スロットで受信した信号及び／又は第ｎ＋１サブフレームの第１スロットで受信した信号を復調することができる。このようにすれば、基地局装置は、送信したいタイミングで、スロット単位の送信ができ、低遅延伝送が可能となる。
【００７８】
また、基地局装置は、スロット単位でスケジューリングする場合、ＥＰＤＣＣＨをスロット単位で割り当てることができる。このとき端末装置は、スロット単位でＥＰＤＣＣＨをブラインドデコーディングし、割当てられたスロットを復調するための下りリンク制御情報を得ることができる。
【００７９】
基地局装置は、第２のＴＴＩで下りリンクのリソースに端末装置を割り当てる場合、上位層の信号及び／又は物理層の信号で、スロットに関する割当て情報を含めて送信することができる。基地局装置は、リソースブロック割当てとスロット割当てをジョイントコーディングして、下りリンク制御情報に含めて送信することができる。端末装置は、第２のＴＴＩで下りリンクのリソースに割当てられた場合、上位層の信号及び／又は下りリンク制御情報で、スロットに関する割当て情報を知ることができる。
【００８０】
基地局装置は、第２のＴＴＩで下りリンクのリソースに端末装置を割り当てる場合、下りリンク制御情報にスロット割当てを示すビットを付加して送信することができる。端末装置は、第２のＴＴＩで下りリンクのリソースに割り当てられた場合、下りリンク制御情報に付加されたビットからスロット割当てを判断することができる。
【００８１】
基地局装置は、サブフレーム内の２つのスロットに第２のＴＴＩで同じ端末装置を割り当てる場合、その２つのスロット間のリソースブロック割り当て（周波数割当て）及び／又はＭＣＳは共通とすることができる。つまり、端末装置は、サブフレーム内の２つのスロットに第２のＴＴＩで割当てられた場合、その２つのスロット間のリソースブロック割当て及び／又はＭＣＳは共通と想定して復調することができる。
【００８２】
また、基地局装置は、サブフレーム内の２つのスロットに第２のＴＴＩで同じ端末装置を割り当てる場合、各々のスロットに対するＭＣＳ、新データ指標（New Data Indicator;NDI）、リダンダンシーバージョン（Redundancy Version；RV）の一部又は全部を送信することができる。端末装置は、各々のスロットに対するＭＣＳ、ＮＤＩ、ＲＶの一部又は全部を考慮して復調することができる。
【００８３】
また、基地局装置は、サブフレーム内の２つのスロットに第２のＴＴＩで同じ端末装置を割り当てる場合、複数のトランスポートブロックに対応するＤＣＩフォーマットを用いて制御情報を送信することができる。このとき、トランスポートブロック１のための情報が第１スロット（偶数スロット）の制御情報、トランスポートブロック２のための情報が第２スロット（奇数スロット）の制御情報とすることができる。つまり、端末装置は、第２のＴＴＩで割当てられている場合、下りリンク制御情報に含まれるトランスポートブロック１のための情報を第１スロット（偶数スロット）の情報と解釈し、トランスポートブロック２のための情報を第２スロット（奇数スロット）の情報を解釈して復調することができる。
【００８４】
また、基地局装置は、低遅延伝送の場合、下りリンク制御情報に含まれるＭＣＳの一部のビットを用いて、スロットに関する割当て情報を送信することができる。このとき、端末装置は、低遅延伝送の場合、下りリンク制御情報に含まれるＭＣＳの一部のビットからスロットに関する割当て情報を判断することができる。
【００８５】
また、基地局装置は、低遅延伝送の場合、下りリンク制御情報に含まれるリダンダンシーバージョンの１ビットを用いて、スロットに関する割当て情報を送信することができる。このとき、端末装置は、低遅延伝送の場合、下りリンク制御情報に含まれるリダンダンシーバージョンの１ビットからスロットに関する割当て情報を判断することができる。
【００８６】
基地局装置は、第１のＴＴＩと第２のＴＴＩの場合で、異なる端末固有参照信号の配置とすることができる。つまり、端末装置は第１のＴＴＩの場合と第２のＴＴＩの場合で、端末固有参照信号の配置が異なることを想定して復調することができる。図８は、第１のＴＴＩの場合の端末固有参照信号の配置例である。図８の１つの白抜きの四角はリソースエレメントを示す。第１のＴＴＩの場合、端末固有参照信号は、２スロットにまたがって時間方向に４倍拡散され、コード多重される。図８の右上線でハッチングされたリソースエレメントは、アンテナポート７、８、１１、１３の端末固有参照信号が配置される。右下線でハッチングされたリソースエレメントは、アンテナポート９、１０、１２、１４の端末固有参照信号が配置される。第２のＴＴＩの場合は、スロット毎の割当てとなるため、図８のような２スロットを用いる配置は望ましくなく、各スロットで端末固有参照信号を配置することが望ましい。図９は、第２のＴＴＩの場合の、端末固有参照信号の配置例である。右上線及び横線でハッチングされたリソースエレメントは第１スロットにおける端末固有参照信号の配置例を示し、右下線及び縦線でハッチングされたリソースエレメントは第２スロットにおける端末固有参照信号の配置例を示す。また、右上線及び右下線でハッチングされたリソースエレメントはアンテナポート７、８の端末固有参照信号が配置される。また横線及び縦線でハッチングされたリソースエレメントは、アンテナポート９、１０の端末固有参照信号が配置される。なお、図９の例では、第２のＴＴＩの場合では、４レイヤまでのサポートとなるが、端末固有参照信号を配置するリソースエレメント数を増やせば、８レイヤをサポートすることも可能である。
【００８７】
また、基地局装置は、第１のＴＴＩの場合と、第２のＴＴＩの場合とで、端末固有参照信号系列を生成する初期値を変えることができる。第１のＴＴＩの場合は、サブフレーム番号によって初期値が変わり、第２のＴＴＩの場合は、スロット番号（もしくは偶数スロット、奇数スロット）によって初期値が変わるようにすることができる。
【００８８】
なお、上記の第１のＴＴＩ、第２のＴＴＩは上りリンク、下りリンクに依らず適用することができる。例えば、基地局装置及び端末装置は、上りリンクでは第１のＴＴＩで通信し、下りリンクでは第２のＴＴＩで通信することができる。また、基地局装置及び端末装置は、上りリンクでは第２のＴＴＩで通信し、下りリンクでは第１のＴＴＩで通信することができる。基地局装置及び端末装置は、上りリンクでは第２のＴＴＩで通信し、下りリンクでは第２のＴＴＩで通信することができる。
【００８９】
ＴＴＩを短縮することに加え、送信プロトコルを簡略化することによっても通信を低遅延にすることができる。従来の送信プロトコルを第１の送信プロトコル、簡略化したプロトコルを第２の送信プロトコルとも呼称する。図１０は第１の送信プロトコルの簡略シーケンス図である。第１の送信プロトコルでは、端末装置はデータを送信する場合、まず基地局装置に対し、スケジューリング要求を送信する。基地局装置は、端末装置の上りリンクのリソース割当てを決定し、上りリンクグラントで端末装置に指示する。端末装置は、受信した上りリンクグラントで指示されたリソースで、データ信号を送信する。図１１は、第２の送信プロトコルの概略シーケンス図である。基地局装置は、予め上りリンクのリソースを端末装置に割当てておく（プレスケジューリング）。プレスケジューリングは、上位層の信号及び／又は物理層の信号で指示される。なお、このとき変調方式、ＭＣＳも指示されてもよい。また、送信可能なトランスポートブロックのサイズが指示又は既定されてもよい。端末装置は、上りリンクの送信が必要な場合に、受信した上位層の信号及び／又は物理層の信号に従って、予め割当てられたリソースでデータ信号を送信する。このように第２の送信プロトコルでは、端末装置が送信したいタイミングで送信できるため、低遅延な通信が可能となる。なお、第１の送信プロトコルで第２のＴＴＩとすることも可能であるし、第２の送信プロトコルで第２のＴＴＩとすることも可能である。
【００９０】
また、基地局装置は、サブフレーム内の第１スロットと第２スロットで、第１の送信プロトコルと第２の送信プロトコルを切り替えることが可能である。例えば、基地局装置は、第１の送信プロトコルでは端末装置を第２スロットに割当て、第２の送信プロトコルでは端末装置を第１スロットに割当てることが可能である。つまり端末装置は、第１の送信プロトコルの場合は、基地局装置から指示されたタイミングで、第２スロットでデータ信号を送信することができる。また、第２の送信プロトコルの場合は、端末装置は自身のタイミングで、第１のスロットでデータ信号を送信することができる。また、基地局装置は、第１の送信プロトコルで送信するスロット及び／又は第２の送信プロトコルで送信するスロットを上位層の信号で送信することができる。端末装置は、基地局装置から受信した制御情報で、各々のスロットにおいて第１のプロトコルで通信するか第２のプロトコルで通信するかを判断することができる。
【００９１】
また、基地局装置は、複数のコンポーネントキャリア（Component Carrier;CC）を用いて広帯域伝送を行うキャリアアグリゲーションが可能である。
【００９２】
図１２は、本実施形態における基地局装置１の構成を示す概略ブロック図である。図１２に示すように、基地局装置１は、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００９３】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００９４】
上位層処理部１０１は、端末装置の機能（UE capability）等、端末装置に関する情報を端末装置から受信する。言い換えると、端末装置は、自身の機能を基地局装置に上位層の信号で送信する。
【００９５】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００９６】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９７】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００９８】
スケジューリング部１０１２は、物理チャネル（ＰＤＳＣＨおよびＰＵＳＣＨ）を割り当てる周波数およびサブフレーム及び／又はスロット、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９９】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【０１００】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１０１】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１０２】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１０３】
下りリンク参照信号生成部１０３３は、基地局装置１を識別するための物理セル識別子（ＰＣＩ、セルＩＤ）などを基に予め定められた規則で求まる、端末装置２が既知の系列を下りリンク参照信号として生成する。
【０１０４】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１０５】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１０６】
受信部１０４は、制御部１０２から入力された制御信号に従って、送受信アンテナ１０５を介して端末装置２から受信した受信信号を分離、復調、復号し、復号した情報を上位層処理部１０１に出力する。
【０１０７】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０８】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０９】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【０１１０】
また、多重分離部１０４２は、ＰＵＣＣＨとＰＵＳＣＨの伝搬路の補償を行なう。また、多重分離部１０４２は、上りリンク参照信号を分離する。
【０１１１】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１１２】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１１３】
図１３は、本実施形態における端末装置２の構成を示す概略ブロック図である。図１３に示すように、端末装置２は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１４】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１５】
上位層処理部２０１は、自端末装置がサポートしている端末装置の機能を示す情報を、送信部２０３に出力する。
【０１１６】
無線リソース制御部２０１１は、自端末装置の各種設定情報の管理をする。また、無線リソース制御部２０１１は、上りリンクの各チャネルに配置される情報を生成し、送信部２０３に出力する。
【０１１７】
無線リソース制御部２０１１は、基地局装置から送信されたＣＳＩフィードバックに関する設定情報を取得し、制御部２０２に出力する。
【０１１８】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１９】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１２０】
制御部２０２は、チャネル状態情報生成部２０５が生成したＣＳＩを基地局装置に送信するように送信部２０３を制御する。
【０１２１】
受信部２０４は、制御部２０２から入力された制御信号に従って、送受信アンテナ２０６を介して基地局装置１から受信した受信信号を、分離、復調、復号し、復号した情報を上位層処理部２０１に出力する。
【０１２２】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１２３】
また、無線受信部２０４１は、変換したディジタル信号からＣＰに相当する部分を除去し、ＣＰを除去した信号に対して高速フーリエ変換を行い、周波数領域の信号を抽出する。
【０１２４】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２５】
信号検出部２０４３は、ＰＤＳＣＨ、チャネル推定値を用いて、信号検出し、上位層処理部２０１に出力する。
【０１２６】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１に送信する。
【０１２７】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２８】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２９】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１３０】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１３１】
無線送信部２０３５は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１３２】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１３３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１３４】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１３５】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１３６】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３７】
本発明は、端末装置、基地局装置および通信方法に用いて好適である。
【符号の説明】
【０１３８】
１  基地局装置
２  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2018110278.tif 000003
【図２】
2018110278.tif 000004
【図３】
2018110278.tif 000005
【図４】
2018110278.tif 000006
【図５】
2018110278.tif 000007
【図６】
2018110278.tif 000008
【図７】
2018110278.tif 000009
【図８】
2018110278.tif 000010
【図９】
2018110278.tif 000011
【図１０】
2018110278.tif 000012
【図１１】
2018110278.tif 000013
【図１２】
2018110278.tif 000014
【図１３】
2018110278.tif 000015